(57)【要約】      （修正有）【課題】簡単な構造でしかも蚊取り線香が安定され且つ効率よく燃焼する蚊取り線香支持具を提供する。                                          【解決手段】蚊取り線香を燃やすために支持する蚊取り線香支持具Ａであって、開口容器１と、開口容器１に設けられ蚊取り線香の外端部を保持する端部保持部３と蚊取り線香の底部を点線状に支持する底部支持部２とを備えており、端部保持部３がコイルバネＳ２よりなることを特徴とする。【選択図】図１
0003200939.tif 000002
【実用新案登録請求の範囲】
【請求項１】
蚊取り線香を燃やすために支持する蚊取り線香支持具であって、開口容器と、該開口容器に設けられ蚊取り線香の外端部を保持する端部保持部と蚊取り線香の底部を点線状に支持する底部支持部とを備えたことを特徴とする蚊取り線香支持具。
【請求項２】
端部保持部がコイルバネよりなることを特徴とする請求項１記載の蚊取り線香支持具。
【請求項３】
底部支持部は複数のコイルバネが張架されてなることを特徴とする請求項１又は２記載の蚊取り線香支持具。
【請求項４】
開口容器を被う蓋部を備え、該蓋部には煙を逃がすための煙逃がし孔が設けられており、開口容器の側壁の切欠き部と蓋部の側壁の切欠き部とにより煙逃がし切欠き孔が形成されており、開口容器又は蓋部には吊り下げ部が設けられていることを特徴とする請求項１〜３のいずれか１項記載の蚊取り線香支持具。
【請求項５】
蚊取り線香支持具を吊り下げた状態で蓋部の下方の一部を除く領域に煙逃がし孔が設けられていることを特徴とする請求項４記載の蚊取り線香支持具。
【請求項６】
煙逃がし切欠き孔を被うためのメッシュ目を有するカバー体を取り外し自在に設けたことを特徴とする請求項４又は５記載の蚊取り線香支持具。
【請求項７】
蚊取り線香Ｂを燃やすために支持する蚊取り線香支持具であって、円形状の開口容器と、該開口容器に設けられ蚊取り線香の端部を保持する端部保持部と蚊取り線香の底部を支持する底部支持部とを備え、端部保持部が一端が開口容器の側壁に固定され、他端が自由端となっているコイルバネよりなり、底部支持部が開口容器の側壁に固定された複数のコイルバネが交差して張架されてなり、更に開口容器を被う蓋部を備え、該蓋部には煙を逃がすための煙逃がし孔が設けられており、開口容器の側壁の切欠き部と蓋部の側壁の切欠き部とにより煙逃がし切欠き孔が形成されており、該煙逃がし切欠き孔を被うためのメッシュ目を有するカバー体が取り外し自在に設けられており、開口容器又は蓋部には吊り下げ部が設けられていることを特徴とする蚊取り線香支持具。
【考案の詳細な説明】
【技術分野】
【０００１】
本考案は、蚊を排除する薬効を有する蚊取り線香Ｂを燃やすために保持する蚊取り線香支持具に関し、更に詳しくは、簡単な構造でしかも線香が長持ちする蚊取り線香支持具に関する。
【背景技術】
【０００２】
従来、空中に煙を発散させ、その薬効により蚊を排除する、いわゆる蚊取り線香が広く使用されている。
この蚊取り線香は、煙を発生させるために燃焼させる必要があることから、燃やす場合、それを支持するための支持具が使われている。
【０００３】
一方、蚊取り線香Ｂとしては、種々の形状のものがあるが、近年では、渦巻き状のものが一般的に使用されている。
この渦巻き状の蚊取り線香を支持する支持具として、今日、種々のものが提供されてきている。
【０００４】
例えば、昔から動物形状の陶器の中で蚊取り線香をフックで吊り下げて、その口部から煙を出すようにしたものがある。
しかし、蚊取り線香自体が風等を受けると揺れて不安定であり、極端には落下することもあることから、その落下を防止するために蚊取り線香の一部を支持して動かぬように固定したものが開発されている。
【０００５】
例えば、このような蚊取り線香を支持するものとして、縦（垂直方向）に支持する方式や、横（水平方向）に支持する方式がある。
前者のものとして、容器周壁の凹部に線香支持部材を架設した線香保持具（特許文献１）がある。
渦巻き状の蚊取り線香が、この線香保持具の支持部によりその中心部で垂直方向に支持されるようになっている。
【０００６】
しかし、蚊取り線香が一か所で支持されているので、必ずしも安定した状態とはならない。
後者のものとして、起立片により線香を空中で水平に保持する線香支持具（特許文献２）がある。
これは別に灰を受ける部分を必要とすることから、突起を備えた線香支持片を受け皿から起立させ、その支持片に線香を水平に保持させるようにした蚊取線香燻煙用受け皿（特許文献３）が提供されている。
【０００７】
しかしこれらは、いずれも渦巻き状の蚊取り線香の中心部のみが、線香支持片で支持されるので、同様に、蚊取り線香の安定が良くない。
このようなことから、線香を安定した状態で支持できる蚊取り線香支持具が開発されている。
【０００８】
例えば、断熱材を介して網ネットや断熱部材で蚊取り線香を全面で支持するものがある（特許文献４）。
しかし、灰が網ネットや断熱部材に付着し或いは溜まったりして空気の流通が妨げられる。
その結果、蚊取線香の燃焼が抑えられて空気中に薬煙が効率よく発散しない。
これらは長く線香原料を維持するためには適しているが、逆に、積極的に速く燃焼させて、室内に煙を効率よく分散させるという点では、必ずしも適していない。
【先行技術文献】
【特許文献】
【０００９】
【特許文献１】特開２００８−２５９４６６号公報
【特許文献２】特開２００６−７２２７５号公報
【特許文献３】特開２００８−２０６７８号公報
【特許文献４】特開２００８−２０６７８号公報
【考案の概要】
【考案が解決しようとする課題】
【００１０】
本考案は上記事情に鑑みてなされたものであり、簡単な構造でしかも蚊取り線香が安定され且つ効率よく燃焼する蚊取り線香支持具に関する。
【課題を解決するための手段】
【００１１】
本考案者は、上記課題を解決するため鋭意検討したところ、外端部をコイルバネで保持し、底部を接触面積を小さくするように点線状で支持することにより、上記問題点を解決できることを見出し、本考案を完成させるに至った。
【００１２】
本考案は、（１）、蚊取り線香Ｂを燃やすために支持する蚊取り線香支持具Ａであって、開口容器１と、該開口容器１に設けられ蚊取り線香Ｂの外端部Ｂ１を保持する端部保持部３と蚊取り線香Ｂの底部を点線状に支持する底部支持部２とを備えた蚊取り線香支持具Ａに存する。
【００１３】
また、本考案は、（２）、端部保持部３がコイルバネＳ２よりなる上記（１）記載の蚊取り線香支持具Ａに存する。
【００１４】
また、本考案は、（３）、底部支持部２は複数のコイルバネＳ１が張架されてなる上記（１）又は（２）に記載の蚊取り線香支持具Ａに存する。
【００１５】
また、本考案は、（４）、開口容器１を被う蓋部４を備え、該蓋部４には煙を逃がすための煙逃がし孔４１が設けられており、開口容器１の側壁１Ａの切欠き部Ｋ１と蓋部４の側壁４Ａの切欠き部Ｋ２とにより煙逃がし切欠き孔Ｋが形成されており、開口容器１又は蓋部４には吊り下げ部４２が設けられている上記（１）〜（３）のいずれか１つに記載の蚊取り線香支持具Ａに存する。
【００１６】
また、本考案は、（５）、蚊取り線香支持具Ａを吊り下げた状態で蓋部４の下方の一部を除く領域に煙逃がし孔４１が設けられている上記（４）記載の蚊取り線香支持具Ａに存する。  
【００１７】
また、本考案は、（６）、煙逃がし切欠き孔Ｋを被うためのメッシュ目５Ａを有するカバー体５を取り外し自在に設けた上記（４）又は（５）記載の蚊取り線香支持具Ａに存する。
【００１８】
また、本考案は、（７）、蚊取り線香Ｂを燃やすために支持する蚊取り線香支持具Ａであって、円形状の開口容器１と、該開口容器１に設けられ蚊取り線香Ｂの端部を保持する端部保持部３と蚊取り線香Ｂの底部を支持する底部支持部２とを備え、端部保持部３が一端が開口容器１の側壁１Ａに固定され、他端が自由端となっているコイルバネＳ２よりなり、底部支持部２が開口容器１の側壁１Ａに固定された複数のコイルバネＳ１が交差して張架されてなり、更に開口容器１を被う蓋部４を備え、該蓋部４には煙を逃がすための煙逃がし孔４１が設けられており、開口容器１の側壁１Ａの切欠き部Ｋ１と蓋部４の側壁４Ａの切欠き部Ｋ２とにより煙逃がし切欠き孔Ｋが形成されており、該煙逃がし切欠き孔を被うためのメッシュ目５Ａを有するカバー体５が取り外し自在に設けられており、開口容器１又は蓋部４には吊り下げ部４２が設けられている蚊取り線香支持具Ａに存する。
【考案の効果】
【００１９】
１）本考案の蚊取り線香Ｂを燃やすために支持する蚊取り線香支持具Ａは、開口容器１と、該開口容器１に設けられ蚊取り線香Ｂの外端部Ｂ１を保持する端部保持部３と蚊取り線香Ｂの底部を点線状に支持する底部支持部２とを備えたことにより、支持面積を極力小さくできるので、熱が発散しにくく置かれた蚊取り線香Ｂは効率よく燃焼される。
蚊取り線香Ｂの固定が外端部Ｓ１の保持と底面の支持との両方で行われるので姿勢が安定したものとなる。
【００２０】
２）また端部保持部３がコイルバネＳ２よりなるので、蚊取り線香Ｂの外端部Ｂ１をコイルバネＳ２に押し込むことで簡単に保持できる。
【００２１】
３）底部支持部２は複数のコイルバネＳ１が張架されてなるので、支持構造として簡単であり、また蚊取り線香Ｂの揺れもバネ力が緩衝力となって吸収される。
【００２２】
４）開口容器１を被う蓋部４を備え、該蓋部４には煙を逃がすための煙逃がし孔４１が設けられており、開口容器１の側壁１Ａの切欠き部Ｋ１と蓋部４の側壁４Ａの切欠き部Ｋ２とにより煙逃がし切欠き孔Ｋが形成されており、開口容器１又は蓋部４には吊り下げ部４２が設けられているので、吊り下げ部４２を引掛けることで吊り下げて使用することができる。
【００２３】
５）蚊取り線香支持具Ａを吊り下げた状態で蓋部４の下方の一部を除く領域に煙逃がし孔４１が設けられているので、一定量の灰が容器に積もっても外に漏れない。
【００２４】
６）煙逃がし切欠き孔Ｋを被うためのメッシュ目５Ａを有するカバー体５を取り外し自在に設けたので、逃がし切欠き孔Ｋからゴミ等の雑物が入り込まない。
【００２５】
７）蚊取り線香Ｂを燃やすために支持する蚊取り線香支持具Ａであって、円形状の開口容器１と、該開口容器１に設けられ蚊取り線香Ｂの外端部Ｂ１を保持する端部保持部３と蚊取り線香Ｂの底部を支持する底部支持部２とを備え、端部保持部３が一端が開口容器１の側壁１Ａに固定され、他端が自由端となっているコイルバネＳ２よりなり、底部支持部２が開口容器１の側壁１Ａに固定された複数のコイルバネＳ１が交差して張架されてなり、更に開口容器１を被う蓋部４を備え、該蓋部４には煙を逃がすための煙逃がし孔４１が設けられており、開口容器１の側壁１Ａの切欠き部Ｋ１と蓋部４の側壁４Ａの切欠き部Ｋ２とにより煙逃がし切欠き孔Ｋが形成されており、該煙逃がし切欠き孔を被うためのメッシュ目５Ａを有するカバー体５が取り外し自在に設けられており、開口容器１又は蓋部４には吊り下げ部４２が設けられているので、上述した全ての利点を有する。
【図面の簡単な説明】
【００２６】
【図１】図１は、本考案に係る蚊取り線香支持具を示す斜視図である。
【図２】図２は、本考案に係る蚊取り線香支持具Ａを示す平面図であり、（Ａ）は、コイルバネが２本交差している例、（Ｂ）はコイルバネが３本交差している例を示す図である。
【図３】図３は、本考案に係る蚊取り線香支持具における蚊取り線香を示す平面図である。
【図４】図４は、本考案に係る蚊取り線香支持具における蚊取り線香とコイルバネとの関係を説明する図であり、（Ａ）は、コイルバネと蚊取り線香との点接触状態を示し、（Ｂ）はコイルバネに蚊取り線香の外端部を取り付けた状態を示す。
【図５】図５は、本考案に係る蚊取り線香支持具のキットを示す図である。
【図６】図６は、本考案に係る第２実施形態の蚊取り線香支持具を示す斜視図である。
【図７】図７は、本考案に係る第２実施形態の蚊取り線香支持具のそれぞれ開口容器と蓋体とを示す斜視図である。
【図８】図８は、本考案に係る第３実施形態の蚊取り線香支持具を垂直にした状態を示す斜視図である。
【図９】図９は、本考案に係る第３実施形態の蚊取り線香支持具のそれぞれ開口容器と蓋体とを示す斜視図である。
【考案を実施するための形態】
【００２７】
以下、必要に応じて図面を参照しつつ、本考案の好適な実施形態について詳細に説明する。
なお、図面中、同一要素には同一符号を付すこととし、重複する説明は省略する。また、図面の寸法比率は図示の比率に限られるものではない。
【００２８】
（第１実施の形態）
図１は、本考案に係る蚊取り線香支持具Ａを示す斜視図である。
【００２９】
図２は、本考案に係る蚊取り線香支持具Ａを示す平面図であり、（Ａ）は、コイルバネＳ１が２本交差している例、（Ｂ）はコイルバネＳ２が３本交差している例を示す。
【００３０】
また図３は、本考案に係る蚊取り線香支持具Ａにおける蚊取り線香Ｂを示す図である。
【００３１】
また、図４は、本考案に係る蚊取り線香支持具Ａにおける蚊取り線香Ｂとコイルバネとの関係を説明する図であり、（Ａ）は、コイルバネＳ１と蚊取り線香Ｂとの点接触状態を示し、（Ｂ）はコイルバネＳ２に蚊取り線香Ｂの外端部Ｂ１を取り付けた状態を示す。
【００３２】
本考案の蚊取り線香支持具Ａは、蚊取り線香Ｂを燃焼させるために支持する道具である。
その構造は、開口容器１と端部保持部３と底部支持部２を備えている。
開口容器１は、有底で上部が開口しており、端部保持部３は、該開口容器１に設けられ蚊取り線香Ｂの外端部Ｂ１を保持する。
また底部支持部２は蚊取り線香Ｂの底部を点線状に支持するものである。
【００３３】
ここで、点線状とは、接触点が直線状となっていることをいう。
ここで蚊取り線香Ｂとしては、主として渦巻き状のものを対象とし、中心部の端を内端部Ｂ２、最外周の端を外端部Ｂ１という（図３参照）。
この実施の形態の開口容器１は、矩形状で有底となっており、その材料は、金属、プラスチック、木材等を使用することができるが、燃焼後の灰が熱いことから、木製の場合には、容器の内側に金属箔を貼りつけることが好ましい。
【００３４】
矩形に開口した開口容器１の開口部には底部支持部２である底部用のコイルバネＳ１が張架されており、ここでは、コイルバネＳ１は交差状に張架されている。
この場合、交差して２本張架するだけで渦巻き状の蚊取り線香Ｂを安定した状態で支持できる。
交差状にすることで、中心から遠くになるにしたがって、支持する領域が広がるので、蚊取り線香Ｂの姿勢が安定できるのである。
【００３５】
更にコイルバネＳ１は、交差状に１本、増やして張架するとより安定したものとなる。
何かの原因で、蚊取り線香Ｂが揺れ動いた場合、底部用のコイルバネＳ１が緩衝材として作用するので揺れが吸収される。
底部用のコイルバネＳ１は、図に示すように、開口容器１の側壁１Ａの上端に取り付けられているが、この側壁１Ａの上端から一定距離下がったところに、例えば、止め具Ｐを介して取り付けることが好ましい。
【００３６】
止め具Ｐがフックのようなものであると、コイルバネＳ１の取り付けが引掛けるだけで容易に行える。
コイルバネＳ１は交差してもお互いに嵌め込まれて固定されるため交差部でガタ付きが生じない。
【００３７】
蚊取り線香Ｂは、底部用のコイルバネＳ１の上に載置された状態では、支持する部分は平面視でＸ字状となり、しかもコイルバネＳ１なので点接触となる（図４（Ａ）参照）。
このように、蚊取り線香ＢがコイルバネＳ１の上に置かれた状態では、接触面積が極力少なくなり、しかもコイルバネＳ１で支える部分以外は空間である。
そのため、蚊取り線香Ｂを燃焼している間は、空気の流通が極めて良く、燃焼が効率よく促進される。
更に、開口容器１の側壁１Ａに、空気孔（図示省略）を設けると、よりよく空気の流れがよくなる。
【００３８】
また、底部支持部２であるコイルバネＳ１が開口容器１の側壁１Ａの上端から一定距離下がったところに取り付けられていると容器を傾斜させても蚊取り線香自体は、外側に落ちない。
当然、燃焼灰も外側に飛散しないことから周囲が汚れない。
上述したように張架された底部用のコイルバネＳ１は蚊取り線香支持具Ａ自体に揺れや振動が加わってもそれを吸収することができるため、載せられた蚊取り線香Ｂは揺れにくい。
【００３９】
一方、端部保持部３も端部用のコイルバネＳ２よりなるが、これは一端が開口容器１の側壁１Ａに止め具Ｐ等を介して取り付けられ、他の端が自由端となっている。
そのためコイルバネＳ２の自由端の開口端に蚊取り線香Ｂの外端部Ｂ１を押し入れることで簡単に取り付けができる（図４（Ｂ）参照）。
通常、蚊取り線香Ｂの外端部Ｂ１は斜めに切断されているので、押し入れる際に焦点を合わせ易く、尚更押し入れ易い。
コイルバネＳ２なので弾発力があり、蚊取り線香Ｂの外端部Ｂ１を強く挿入するとバネ口が広がり弾圧的に保持できるのである。
【００４０】
いま、本発明の蚊取り線香支持具Ａを使用するには、最初に、蚊取り線香Ｂを底部支持部２である底部用のコイルバネＳ１の上に載置する。
次にその状態で、その外端部Ｂ１を端部用のコイルバネＳ２の自由端に装着する。
これで、蚊取り線香Ｂの底面は底部用のコイルバネＳ１の上に支持され、且つ端部用のコイルバネＳ２で外端部Ｂ１が保持される。
【００４１】
次に、蚊取り線香Ｂの中心の内端部Ｂ２に火を付けて、燃焼させる。
蚊取り線香Ｂは、底部用のコイルバネＳ１に点線状に支持されており、周囲全面が殆ど接触していないので、空気の流通が極めて良く燃焼速度も速い。
また、蚊取り線香Ｂは交差したコイルバネＳ１に支持されているので、安定した状態で載置される。
蚊取り線香Ｂを燃焼した後の灰は開口容器１の底に溜まることから、この容器の側壁１Ａを高くすることにより、容積を増し、複数の蚊取り線香Ｂを交換して長時間燃焼できる。
【００４２】
（キット）
ところで、この蚊取り線香支持具Ａは、開口容器１と、該開口容器１に設けられ蚊取り線香Ｂの外端部Ｂ１を保持する端部保持部３、すなわち端部用のコイルバネＳ２と、底部を支持する底部支持部２、すなわち底部用のコイルバネＳ１とネジ等の止め具Ｐの４種類の部品を揃えて一組の工作キットとすることができる。
【００４３】
図５は、本考案に係る蚊取り線香支持具Ａのキットを示す図である。
ここでキットを組み付けるには、開口容器１の側壁１Ａに２本の底部用のコイルバネＳ１を取り付けて張架する。
更に、端部用のコイルバネＳ２を取り付ける。
尚、この底部用のコイルバネＳ１は３本以上とすることも可能である。
【００４４】
（第２実施の形態）
図６は、本考案に係る別の実施の形態の蚊取り線香支持具Ａを示す斜視図である。
図７は、本考案に係る別の実施の形態の蚊取り線香支持具Ａの開口容器１と蓋体４とを示す斜視図である。
【００４５】
この実施の形態は、上述した台の実施の形態とは異なって、開口容器１を閉じるための蓋部４を有するものである。
すなわち、この蚊取り線香支持具Ａの構造は、開口容器１と端部保持部３と底部支持部２と蓋部４とを備えている。
開口容器１は、円形且つ有底で上部が開口しており、端部保持部３は、該開口容器１に設けられて蚊取り線香Ｂの外端部Ｂ１を保持し、底部支持部２は蚊取り線香Ｂの底部を点線状に支持するものである。
開口容器１の開口部には底部支持部２である底部用のコイルバネＳ１が交差状に張架されている。
【００４６】
また端部保持部３である端部用のコイルバネＳ２は、一端部が自由端であり、他端部が開口容器１の側壁４Ａに固定されている。
蓋部４は開口容器１の開口部を被うものであり、開口容器１より径が大きく、蓋部４を確実に閉じた状態で開口容器１の外周段部に当接する。
蓋部４は、金属、不燃のプラスチック等の材料よりなり、燃焼の煙を逃がすための煙逃がし孔４１が多数設けられている。
この煙逃がし孔４１は、蓋部４の全体に間隔を空けて設けられており、その穴の形や大きさは種々の設定が可能である。
開口容器１と蓋部４が離れないように両者は図示しない留め具を使って、外周の複数個所が固定される。
【００４７】
留め具としては、クリップや、或いは螺子、ボルト等を適用することも可能である。
いま、開口容器１の底部用のコイルバネＳ１の上に蚊取り線香Ｂを載せて、該蚊取り線香Ｂの外端部Ｂ１を端部用のコイルバネＳ２の自由端に装着する。
この状態で蚊取り線香Ｂの中心の内端部Ｂ２に火を付けて蓋部４を閉じる。
蚊取り線香Ｂは接触点が少なく効率よく燃焼して蓋部４の煙逃がし孔４１から煙が発散し薬効を得ることができる。
【００４８】
（第３実施の形態
）図８は、本考案に係る第３実施形態施の形態の蚊取り線香支持具Ａを垂直にした状態を示す斜視図である。
【００４９】
図９は、本考案に係る第３実施形態の蚊取り線香支持具Ａのそれぞれ開口容器１と蓋体４とを示す斜視図である。
【００５０】
蚊取り線香支持具Ａは、水平に載置することだけではなく、垂直に吊り下げて使用することもできる。
この実施の形態は、蚊取り線香支持具Ａを吊り下げた状態で使用することができるもので、そのために、開口容器１或いは蓋部４の周囲に吊り下げ部４２（いわゆる吊り下げ具）を設けておく。
吊り下げるので、構造としては、前述の第２の実施の形態の蓋部４を備える蚊取り線香支持具Ａが使用されるが、ここでは、煙逃がし切欠き孔Ｋが形成されているものを示す。
【００５１】
この蚊取り線香支持具Ａにおいては開口容器１の側壁１Ａと蓋部４の側壁４Ａとを各々矩形状に切り取ってあり（図９の切欠き部Ｋ１、Ｋ２）、開口容器１と蓋部４とを互いに閉じることにより、矩形状の煙逃がし切欠き孔Ｋが形成されるのである。
この煙逃がし切欠き孔Ｋがあるため薬煙を上向きに通過させることができる。
【００５２】
すなわち蓋部４の煙逃がし孔４１から横方向に入った空気は蚊取り線香Ｂの煙（薬煙）を誘導して煙逃がし切欠き孔Ｋから上方に逃げ、上昇気流となる。
そのため効率よく、蚊取り線香Ｂが燃焼することとなる。
蓋部４に、間隔を空けて多数、煙逃がし孔４１が設けられているが、この煙孔は、吊り下げた場合に下方となる一部分の領域に設けないことが好ましい（図８、図９に示す二点鎖線の領域参照）。
蚊取り線香Ｂの燃焼が進んで灰が容器内に積もっても、この灰が煙逃がし孔４１から漏れない。
【００５３】
また吊り下げた状態で蚊取り線香Ｂが動かないように弾圧的に押さえるため、蓋部４の内側には図示しない押さえバネ部を設けておくことが好ましい。
蚊取り線香支持具Ａを使用するには、蚊取り線香Ｂを底部用のコイルバネＳ１の上に載置し、蚊取り線香Ｂの外端部Ｂ１を端部用のコイルバネＳ２の自由端に装着する。
そして蚊取り線香Ｂの内端部Ｂ２に火を付けて蓋部４を閉じる。
吊り下げ部４２を柱等の支持部に引掛けて吊り下げる。
ところで、この実施の形態の蚊取り線香支持具Ａは吊り下げて使用する場合、煙逃がし切欠き孔Ｋが上方に形成されているので、屋外で使用する場合に、葉っぱ等のゴミが入り易い。
そのため、その煙逃がし切欠き孔Ｋを被うためのカバー体５を備えることが好ましい。
【００５４】
図８に示すカバー体５は蚊取り線香支持具Ａに装着する前を示す。
カバー体５は、断面コ字状で、対応する部分にメッシュ目５Ａが形成されており、取り付けた場合に、このメッシュ目５Ａから薬煙を上方に逃がすことができ、しかもゴミ等が入らない。
空気の流通を良くするため、カバー体５の側面に孔を設けることも可能である。
このカバー体５は、蚊取り線香支持具Ａから取り外し自在であり、また使い捨てのものとすることができる。
雨等が降る場合には、メッシュ目の形成されていないものも採用可能である。
以上、本考案の好適な実施の形態について説明したが、本考案は、上述した実施の形態に限定されるものではない。
例えば、開口容器１の形状も円形や矩形の他にも変更は可能であり、大きさも同様である。
底部支持部２としてのコイルバネの懸架の仕方は、実施の形態に拘束されない。
第１実施形態（図、図２参照）において、蚊取り線香を上から押さえ付けるようなコイルバネ等を開口容器１に設けることも採用可能である。
【産業上の利用可能性】
【００５５】
本考案は、蚊取り線香Ｂの底部を点線状に支持して燃焼するので、極力、燃焼対象物との接触面積が少なくなるので、空気の流通にも優れ効率よく速く燃焼させることができる。
そのためこの原理を使う限り、支えながら材料を燃焼する場合に広く適用できる。
【符号の説明】
【００５６】
Ａ・・・蚊取り線香支持具
１・・・開口容器
１Ａ・・・側壁
２・・・底部支持部（底部用のコイルバネ）
３・・・端部保持部（端部用のコイルバネ）
４・・・蓋部
４１・・・煙逃がし孔
４２・・・吊り下げ部
５・・・カバー体
５Ａ・・・メッシュ部
４・・・蓋部
Ｂ・・・蚊取り線香
Ｂ１・・・外端部
Ｂ２・・・内端部
Ｓ１・・・底部用のコイルバネ
Ｓ２・・・端部用のコイルバネ
Ｐ・・・止め具
Ｋ・・・煙逃がし切欠き孔
Ｋ１、Ｋ２・・・切欠き部
【図１】
0003200939.tif 000003
【図２】
0003200939.tif 000004
【図３】
0003200939.tif 000005
【図４】
0003200939.tif 000006
【図５】
0003200939.tif 000007
【図６】
0003200939.tif 000008
【図７】
0003200939.tif 000009
【図８】
0003200939.tif 000010
【図９】
0003200939.tif 000011